(57)【要約】【課題】  灯体に対する連結体の干渉を避けることができる照明器具を提供する。【解決手段】  電気的な光源を有する灯体１と、灯体１を光源の光軸に交差する第１回転軸周りに回転可能に支持する回転枠２と、回転枠２を第１回転軸に交差する第２回転軸周りに回転可能に支持する支持枠３とを備える。さらに、灯体１よりも上側において天井から吊下げ支持される天板４と、支持枠３に連結される第１連結部５１、天板４に連結される第２連結部５２、並びに、第１連結部５１と第２連結部５２とを相互に連結する本体部５３を有する連結体５とを備える。連結体５の本体部５３は、灯体１に向けられる面を凹面とするように曲がっている。これにより、灯体１に対する連結体５の干渉を避けることができる。【選択図】図１
2015011966.tif 000002
【特許請求の範囲】
【請求項１】
電気的な光源を有する灯体と、
前記灯体を前記光源の光軸に交差する第１回転軸周りに回転可能に支持する回転枠と、
前記回転枠を前記第１回転軸に交差する第２回転軸周りに回転可能に支持する支持枠と、
前記灯体よりも上側において天井から吊下げ支持される天板と、
前記支持枠に連結される第１連結部、前記天板に連結される第２連結部、並びに、前記第１連結部と前記第２連結部とを相互に連結する本体部を有する連結体とを備え、
前記連結体の前記本体部は、前記灯体に向けられる面を凹面とするように曲がっていることを特徴とする照明器具。
【請求項２】
前記第１連結部は前記支持枠に引っ掛けられるフックであり、前記第２連結部は前記天板に引っ掛けられるフックであることを特徴とする請求項１記載の照明器具。
【請求項３】
前記第１連結部と前記第２連結部との少なくとも一方は、前記支持枠または前記天板に対して引っ掛けられた状態で、前記第１連結部と前記２連結部との他方を前記支持枠または前記天板に対して着脱するような方向に前記連結体を回転可能とするように構成されていることを特徴とする請求項２記載の照明器具。
【発明の詳細な説明】
【技術分野】
【０００１】
本発明は、照明器具に関するものである。
【背景技術】
【０００２】
従来から、電気的な光源を有する灯体が、いわゆるジンバル構造によって支持されることで、灯体の向きが可変とされた照明器具が提供されている（例えば、特許文献１参照）。つまり、灯体の向きを変更することで、光の照射方向を変更することができる。
【０００３】
この種の照明器具として、例えば図５のようなものがある。この照明器具は、灯体１と、灯体１を光源（図示せず）の光軸に交差（直交）する第１回転軸周りに回転可能に支持する回転枠２とを３組備える。光源としては例えば発光ダイオードなどの周知の電気的な光源を用いることができ、上記のような灯体１は周知技術で実現可能であるので説明は省略する。また、上記の照明器具は、各回転枠２を第１回転軸に交差（直交）する第２回転軸周りに回転可能に支持する支持枠３を備える。回転枠２は例えば樹脂からなり、支持枠３は例えば金属板からなる。支持枠３は上下方向から見て長方形状であって、３個の回転枠２は、支持枠３の長手方向に並べて取り付けられている。また、回転枠２は、灯体１において光源の光が出射する方向の端部である下端部を囲む円環形状とされている。回転枠２は、第１の径方向の両端部がそれぞれ灯体１に対して回転可能に連結されるとともに、第１の径方向に直交する第２の径方向の両端部がそれぞれ支持枠３の短手方向の一端部ずつに対して回転可能に連結されている。第１回転軸は第１の径方向に平行となり、第２回転軸は第２の径方向に平行となる。つまり、上記の第２回転軸は、支持枠３の短手方向に平行となっている。また、上記の第１回転軸は、支持枠３に対し、第２回転軸に直交する面内（つまり、支持枠３の長手方向と上下方向とに平行な面内）で回転可能となっている。
【０００４】
上記の照明器具は、図６に示すように、天井材７に設けられた埋込穴７０に埋込配設される。天井材７は、コンクリートなどの造営材（図示せず）との間に隙間（いわゆる配線スペース）を開けて配置されて天井面を構成する板材である。上記の照明器具は、灯体１よりも上側において埋込穴７０内の天井（造営材）に吊下げ支持される天板４と、この天板４と上記の支持枠３とを相互に連結する連結体５とを備える。天板４と連結体５とはそれぞれ例えば金属板からなる。天板４は、厚さ方向を上下方向に向けた長方形状の主片４１と、主片４１の短手方向の両端からそれぞれ下方に突設された側片４２とを有する。また、天板４の主片４１は上方から見て支持枠３に重なる寸法形状であって、天板４は主片４１の四隅付近においてそれぞれ連結体５を介して支持枠３の四隅付近に連結されている。さらに、天板４は、天井材７の上側の造営材（図示せず）から垂下されたアンカーボルト７１を上方から挿通されるボルト挿通穴４０を長手方向の両端部に有する。ボルト挿通穴４０に挿通されたアンカーボルト７１は、天板４の下側においてナット７２にねじ込まれる。このナット７２によって、天板４は天井（造営材）から吊下げ支持される。ナット７２の上面と天板４の下面との間には座金７３が配置される。さらに、連結体５には、４個の取付金具６が上下にスライド可能に取り付けられており、上記の照明器具は、上記の取付金具６が天井材７の上面に当接することによっても支持される。連結体５に対する取付金具６の取付は、例えば、連結体５に設けられたＴ字型の取付穴５０への嵌め込みにより達成される。この場合、取付金具６は、取付穴５０において幅の広い上端部に挿入された後、図５に矢印Ａ２で示すように下方へスライドされる。支持枠３は、上下方向に開口した角筒形状であって各回転枠２をそれぞれ支持するとともに埋込穴７０に挿通される筒部３１と、筒部３１の下端から外向きに突設された環形状であって天井材７の下面（天井面）に当接する鍔部３２とを有する。下方から見て、埋込穴７０の内周面と筒部３１の外周面との間の隙間は、鍔部３２によって覆われる。
【先行技術文献】
【特許文献】
【０００５】
【特許文献１】実用新案登録第３０６６８３４号公報
【発明の概要】
【発明が解決しようとする課題】
【０００６】
灯体１の光軸方向での寸法が支持枠３の上下方向での寸法よりも大きいことや、支持枠３の下方への灯体１の突出寸法が大きくなることは好ましくないことなどの理由により、灯体１は、上端部を支持枠３の上方へ突出させる形で保持される。つまり、支持枠３に対する灯体１の回転に伴って、灯体１の上端部は水平方向に変位する。従って、灯体１を支持枠３に対して回転させる際に、連結体５が灯体１の上端部に干渉してしまう場合があった。例えば、図５の左端の灯体１のように、上端部が支持枠３の筒部３１から長手方向に突出した灯体１を回転枠２に対して回転させようとすると、灯体１の上端部に連結体５が干渉（当接）してしまう。
【０００７】
本発明は、上記事由に鑑みて為されたものであり、その目的は、灯体に対する連結体の干渉を避けることができる照明器具を提供することにある。
【課題を解決するための手段】
【０００８】
本発明の照明器具は、電気的な光源を有する灯体と、前記灯体を前記光源の光軸に交差する第１回転軸周りに回転可能に支持する回転枠と、前記回転枠を前記第１回転軸に交差する第２回転軸周りに回転可能に支持する支持枠と、前記灯体よりも上側において吊下げ支持される天板と、前記支持枠に連結される第１連結部、前記天板に連結される第２連結部、並びに、前記第１連結部と前記第２連結部とを相互に連結する本体部を有する連結体とを備え、前記連結体の前記本体部は、前記灯体に向けられる面を凹面とするように曲がっていることを特徴とする。
【０００９】
上記の照明器具において、前記第１連結部は前記支持枠に引っ掛けられるフックであり、前記第２連結部は前記天板に引っ掛けられるフックであることが望ましい。
【００１０】
さらに、上記の照明器具において、前記第１連結部と前記第２連結部との少なくとも一方は、前記支持枠または前記天板に対して引っ掛けられた状態で、前記第１連結部と前記２連結部との他方を前記支持枠または前記天板に対して着脱するような方向に前記連結体を回転可能とするように構成されていることが望ましい。
【発明の効果】
【００１１】
本発明によれば、連結体の本体部において灯体に向けられる面が凹面とされていることで、灯体に対する連結体の干渉を避けることができる。
【図面の簡単な説明】
【００１２】
【図１】本発明の実施形態を示す斜視図である。
【図２】同上の要部を示す斜視図である。
【図３】同上の別の要部を示す斜視図である。
【図４】同上を示す左側面図である。
【図５】従来の照明器具が埋込配設された状態を示す斜視図である。
【図６】同上を埋込配設する方法を示す説明図である。
【発明を実施するための形態】
【００１３】
本発明の照明器具は、電気的な光源を有する灯体１と、灯体１を光源の光軸に交差する第１回転軸周りに回転可能に支持する回転枠２と、回転枠２を第１回転軸に交差する第２回転軸周りに回転可能に支持する支持枠３とを備える。また、本発明の照明器具は、灯体１よりも上側において吊下げ支持される天板４と、支持枠３に連結される第１連結部５１、天板４に連結される第２連結部５２、並びに、第１連結部５１と第２連結部５２とを相互に連結する本体部５３を有する連結体５とを備える。連結体５の本体部５３は、灯体１に向けられる面を凹面とするように曲がっている。
【００１４】
上記の照明器具において、第１連結部５１は支持枠３に引っ掛けられるフックであり、第２連結部５２は天板４に引っ掛けられるフックであることが好ましい。
【００１５】
さらに、上記の照明器具において、第１連結部５１と第２連結部５２との少なくとも一方は、支持枠３または天板４に対して引っ掛けられた状態で、第１連結部５１と第２連結部５２との他方を支持枠３または天板４に対して着脱するような方向に連結体５を回転可能とするように構成されていることが好ましい。
【００１６】
以下、本発明を実施するための最良の形態について、図面を参照しながら説明する。
【００１７】
本実施形態の基本構成は図５及び図６で説明した従来例と共通であるので、共通する部分については説明を省略する。
【００１８】
本実施形態は、図１に示すように、支持枠３と天板４との短手方向の両側に２個ずつ、合計４個の連結体５を備える。また、取付金具６は用いられていない。以下、図１のＡＢＣＤＥＦ方向を上下左右前後方向と呼ぶ。つまり、支持枠３と天板４との長手方向を左右方向と呼び、支持枠３と天板４との短手方向を前後方向と呼ぶ。
【００１９】
各連結体５はそれぞれ例えば金属板に曲げ加工が施されたものである。各連結体５は、それぞれ、支持枠３に連結される第１連結部５１と、天板４に連結される第２連結部５２と、下端において第１連結部５１に連結されるとともに上端において第２連結部５２に連結された本体部５３とを備える。
【００２０】
また、支持枠３の筒部３１において厚さ方向を前後方向に向けた壁の左右両端部には、それぞれ、図２に示すように、第１連結部５１が挿通される貫通穴である第１連結穴３３が設けられている。第１連結部５１は、本体部５３の下端から前後方向の内側へ突設されて先端部が上方に曲げられたフック（鉤形状）であって、第１連結穴３３に挿入されて筒部３１（第１連結穴３３の上側の部位）に引っ掛けられることで支持枠３に連結される。
【００２１】
さらに、天板４の前後方向の両端部において左右方向の両端部付近には、それぞれ、図３に示すように、主片４１の短手方向の端部と側片４２の上端部とに跨った貫通穴である第２連結穴４３が設けられている。第２連結部５２は、本体部５３の上端から前後方向の内側へ突設されて先端部が下方に曲げられたフック（鉤形状）であって、第２連結穴４３に挿入されて側片４２（第２連結穴４３の下側の部位）に引っ掛けられることで天板４に連結される。
【００２２】
ここで、各連結体５において、本体部５３に対する第１連結部５１の突出方向と、本体部５３に対する第２連結部５２の突出方向とは、互いに同じとされている。これにより、支持枠３に対して第１連結部５１が引っ掛けられる方向と、天板４に対して第２連結部５２が引っ掛けられる方向とは、互いに同じ（前後方向のいずれか）となっている。また、第１連結部５１において支持枠３を挟む部位間の距離は、支持枠３の筒部３１において第１連結部５１に挟まれる部位の寸法（厚さ寸法）に対して十分に大きくされている。さらに、第２連結部５２において天板４を挟む部位間の距離は、天板４の側片４２において第２連結部５２に挟まれる部位の寸法（厚さ寸法）に対して十分に大きくされている。これにより、第１連結部５１と第２連結部５２とのうちの一方を支持枠３または天板４に引っ掛けたままで、他方を支持枠３または天板４に対して着脱させる（引っ掛け又は取り外す）ように連結体５を回転させることができる。例えば、図４に示すように、第２連結部５２が天板４に引っ掛けられた連結体５を、矢印Ａ１で示すように回転させて、第１連結部５１を支持枠３に引っ掛けることができる。ただし、取付後の状態では、第１連結部５１の先端部は、第１連結穴３３の上端よりも上側に位置する。従って、第１連結穴３３に第１連結部５１を挿抜するには、上記のように連結体５を回転させるだけではなく、支持枠３を一時的に持ち上げるか、または、第１連結部５１の先端部を引き下げるように連結体５を一時的に弾性変形させる必要がある。同様に、第１連結部５１が支持枠３に引っ掛けられた状態で第２連結部５２を第２連結穴４３に挿抜する場合にも、連結体５を支持枠３とともに一時的に持ち上げるか、または、第２連結部５２の先端部を引き上げるように連結体５を一時的に弾性変形させる必要がある。なお、連結体５を回転可能とする方法としては、上記のように各連結部５１，５２の寸法を十分に大きくするという方法のほか、例えば、支持枠３や天板４において連結部５１，５２に挟まれる部位を円柱形状とするという方法も考えられる。
【００２３】
さらに、連結体５の本体部５３は、灯体１に向けられる面（前後方向の一方側の面であり、各連結部５１，５２が突出する側の面）を凹面とするように曲げられている。言い換えると、本体部５３において、灯体１の上端部と上下位置を等しくする中央部は、上下両端部よりも、前後方向（図４での左右方向）の外側に位置する。
【００２４】
上記構成によれば、連結体５の本体部５３において灯体１に向けられる面が凹面とされていることで、灯体１に対する連結体５の干渉を避けることができる。
【符号の説明】
【００２５】
１  灯体
２  回転枠
３  支持枠
４  天板
５  連結体
５１  第１連結部
５２  第２連結部
５３  本体部
【図１】
2015011966.tif 000003
【図２】
2015011966.tif 000004
【図３】
2015011966.tif 000005
【図４】
2015011966.tif 000006
【図５】
2015011966.tif 000007
【図６】
2015011966.tif 000008